(57)【要約】【課題】タブシート印刷において、ずらし印刷の必要がなくなり、タブシート全面への印刷を行わせることが可能となる。【解決手段】パケットテーブル１８０１に基づきスキャン画像１８０８をメモリに記憶しておき、スキャン画像１８０８とタブインデックス分画像１８０６とをパケットテーブル上で結合させることで、タブシートに印刷すべき出力画像をメモリ上に生成する。【選択図】      図１８
2004151854.tif 000002
【特許請求の範囲】
【請求項１】
入力画像にタブシート印刷のための処理を施して出力する画像処理装置であって、
所定のテーブルに基づき、前記入力画像を記憶する記憶手段と、
前記入力画像に基づき、前記タブシートに印刷すべき出力画像を生成する生成手段とを有し、
前記生成手段は、前記入力画像と所定の画像とを前記所定のテーブル上で結合させることにより、前記タブシートに印刷すべき出力画像を前記記憶手段上に生成することを特徴とする画像処理装置。
【請求項２】
前記入力画像には前記タブシートのタブに印刷すべき画像が含まれており、
前記生成手段は、前記入力画像と余白画像を結合することにより、前記タブシートのタブ位置に印刷可能な出力画像を生成することを特徴とする請求項１に記載の画像処理装置。
【請求項３】
前記所定の画像には前記タブシートのタブに印刷すべき画像が含まれており、
前記生成手段は、前記入力画像と前記所定の画像とを結合することにより、前記タブシートのタブ位置に印刷可能な出力画像を生成することを特徴とする請求項１に記載の画像処理装置。
【請求項４】
画像を出力する印刷装置の印刷モードが、タブシート印刷モードであるか否かを判断する判断手段と、
前記判断手段により前記印刷モードがタブシート印刷モードであると判断された場合に、前記生成手段により前記記憶手段に生成された出力画像を印刷装置に出力し、タブシートに印刷させる制御手段と、
をさらに有することを特徴とする請求項１〜３のいずれかに記載の画像処理装置。
【請求項５】
前記入力画像及び所定の画像は、前記所定のテーブルによりタイル画像の単位で管理されており、
前記生成手段は、前記入力画像と所定の画像とを前記タイル画像単位で結合させることを特徴とする請求項１〜４のいずれかに記載の画像処理装置。
【請求項６】
画像をタイル単位で処理する画像処理装置であって、
所定の画像を分割することで得られた複数のタイル画像を記憶する記憶手段と、
各タイル画像の前記記憶手段上での実データのアドレス情報を所定のテーブルにより管理する管理手段とを有し、
複数のタイル画像から構成される第１の画像と第２の画像とを結合させる場合、前記管理手段は、前記第１の画像と前記第２の画像の接する部分の各タイルを、前記テーブル上で結合させることを特徴とする画像処理装置。
【請求項７】
入力画像にタブシート印刷のための処理を施して出力する画像処理方法であって、
所定のテーブルに基づき、前記入力画像を記憶手段に記憶する記憶工程と、
前記入力画像に基づき、前記タブシートに印刷すべき出力画像を生成する生成工程とを有し、
前記生成工程は、前記入力画像と所定の画像とを前記所定のテーブル上で結合させることにより、前記タブシートに印刷すべき出力画像を前記記憶手段上に生成することを特徴とする画像処理方法。
【請求項８】
画像をタイル単位で処理する画像処理方法であって、
所定の画像を分割することで得られた複数のタイル画像を記憶手段に記憶する記憶工程と、
各タイル画像の前記記憶手段上での実データのアドレス情報を所定のテーブルにより管理する管理工程とを有し、
複数のタイル画像から構成される第１の画像と第２の画像とを結合させる場合、前記管理工程は、前記第１の画像と前記第２の画像の接する部分の各タイルを、前記テーブル上で結合させることを特徴とする画像処理方法。
【請求項９】
請求項７、または８のいずれかに記載の画像処理方法を実行することを特徴とするプログラム。
【請求項１０】
請求項９に記載のプログラムを格納するコンピュータ可読の記憶媒体。
【発明の詳細な説明】
【０００１】
【発明の属する技術分野】
本発明は、入力画像に所定の処理を施して出力する画像処理装置、画像処理方法、記憶媒体、及びプログラムに関する。
【０００２】
【従来の技術】
従来のデジタル複合機等、画像形成装置におけるタブ紙印刷モードでは、まず、タブ紙のタブへの印刷文字の読み込み作業において、タブ紙一枚につき、一枚のタブへの印刷文字を記載した原稿を用意する。そして、ユーザー（使用者）はその原稿に書かれた文字を適当な距離だけ移動させる操作を行う。つまり、画像形成装置の操作部において、原稿の文字を何ｍｍ移動させるかを設定するマニュアル操作を行う。そしてこのマニュアル操作での設定値に基づき、タブ紙のタブ上に文字を印刷させていた。これらの印刷方法は、例えば、特開２００２−１９２４３号公報等に開示されている。
【０００３】
また、タブ紙のタブ上へ印刷する為に、例えばＡ４サイズタブ紙への印刷の場合、Ａ４サイズの画像を転写時にタブサイズ分タイミングをずらして印刷することで、タブ部分への印刷を行っていた。
【０００４】
【発明が解決しようとする課題】
しかしながら、このように、上記の従来技術では、タブ紙に印刷を行う際に、読み込んだ画像を設定された長さでずらして印刷する為、例えばＡ４サイズのタブ紙のタブへ印刷したい場合、Ａ４サイズの原稿に印字されている印刷文字をずらした分、タブ紙に印刷できない領域ができてしまうという問題が生じていた。その為、タブ紙の全面へ印刷したい場合は、原稿にもタブ紙サイズと同じかそれ以上の原稿を用意して、ずらさないような設定をするなど、操作者は煩雑な操作を強いられていた。
【０００５】
本発明は、上述した問題点を解決するためのものであり、所定のテーブルに基づき入力画像を記憶手段に記憶しておき、入力画像と所定の画像とを所定のテーブル上で結合させることで、タブシートに印刷すべき出力画像を記憶手段上に生成することこより、ずらし印刷の必要がなくなり、タブシート全面への印刷を行わせることが可能となる画像処理装置、画像処理方法、記憶媒体、及びプログラムを提供することを目的とする。
【０００６】
また、タイル画像の記憶手段上での実データのアドレス情報を所定のテーブルにより管理しておき、複数のタイル画像から構成される第１の画像と第２の画像とを結合させる場合は、第１の画像と前記第２の画像の接する部分の各タイルを、テーブル上で結合させることにより、記憶手段上に同一のタイル画像を重複して保持しておく必要がなくなり、さらに画像結合処理の高速化を図ることができる画像処理装置、画像処理方法、記憶媒体、及びプログラムを提供することを目的とする。
【０００７】
【課題を解決するための手段】
上記目的を達成するために、本発明の画像処理装置は、入力画像にタブシート印刷のための処理を施して出力する画像処理装置であって、所定のテーブルに基づき、前記入力画像を記憶する記憶手段と、前記入力画像に基づき、前記タブシートに印刷すべき出力画像を生成する生成手段とを有し、前記生成手段は、前記入力画像と所定の画像とを前記所定のテーブル上で結合させることにより、前記タブシートに印刷すべき出力画像を前記記憶手段上に生成することを特徴とする。
【０００８】
また、本発明の画像処理装置は、画像をタイル単位で処理する画像処理装置であって、所定の画像を分割することで得られた複数のタイル画像を記憶する記憶手段と、各タイル画像の前記記憶手段上での実データのアドレス情報を所定のテーブルにより管理する管理手段とを有し、複数のタイル画像から構成される第１の画像と第２の画像とを結合させる場合、前記管理手段は、前記第１の画像と前記第２の画像の接する部分の各タイルを、前記テーブル上で結合させることを特徴とする。
【０００９】
また、本発明の画像処理方法は、入力画像にタブシート印刷のための処理を施して出力する画像処理方法であって、所定のテーブルに基づき、前記入力画像を記憶手段に記憶する記憶工程と、前記入力画像に基づき、前記タブシートに印刷すべき出力画像を生成する生成工程とを有し、前記生成工程は、前記入力画像と所定の画像とを前記所定のテーブル上で結合させることにより、前記タブシートに印刷すべき出力画像を前記記憶手段上に生成することを特徴とする。
【００１０】
また、本発明の画像処理方法は、画像をタイル単位で処理する画像処理方法であって、所定の画像を分割することで得られた複数のタイル画像を記憶手段に記憶する記憶工程と、各タイル画像の前記記憶手段上での実データのアドレス情報を所定のテーブルにより管理する管理工程とを有し、複数のタイル画像から構成される第１の画像と第２の画像とを結合させる場合、前記管理工程は、前記第１の画像と前記第２の画像の接する部分の各タイルを、前記テーブル上で結合させることを特徴とする。
【００１１】
また、本発明の記憶媒体は、入力画像にタブシート印刷のための処理を施して出力する画像処理方法のプログラムコードが格納されたコンピュータ可読記憶媒体であって、所定のテーブルに基づき、前記入力画像を記憶手段に記憶する記憶コードと、前記入力画像に基づき、前記タブシートに印刷すべき出力画像を生成する生成コードとを有し、前記生成コードは、前記入力画像と所定の画像とを前記所定のテーブル上で結合させることにより、前記タブシートに印刷すべき出力画像を前記記憶手段上に生成することを特徴とする。
【００１２】
また、本発明の記憶媒体は、画像をタイル単位で処理する画像処理方法のプログラムコードが格納されたコンピュータ可読記憶媒体であって、所定の画像を分割することで得られた複数のタイル画像を記憶手段に記憶する記憶コードと、各タイル画像の前記記憶手段上での実データのアドレス情報を所定のテーブルにより管理する管理コードとを有し、複数のタイル画像から構成される第１の画像と第２の画像とを結合させる場合、前記管理コードは、前記第１の画像と前記第２の画像の接する部分の各タイルを、前記テーブル上で結合させることを特徴とする。
【００１３】
また、本発明のプログラムは、入力画像にタブシート印刷のための処理を施して出力する画像処理方法を実行するためのプログラムであって、所定のテーブルに基づき、前記入力画像を記憶手段に記憶する記憶ステップと、前記入力画像に基づき、前記タブシートに印刷すべき出力画像を生成する生成ステップとを有し、前記生成ステップは、前記入力画像と所定の画像とを前記所定のテーブル上で結合させることにより、前記タブシートに印刷すべき出力画像を前記記憶手段上に生成することを特徴とする。
【００１４】
また、本発明のプログラムは、画像をタイル単位で処理する画像処理方法を実行するためのプログラムであって、所定の画像を分割することで得られた複数のタイル画像を記憶手段に記憶する記憶ステップと、各タイル画像の前記記憶手段上での実データのアドレス情報を所定のテーブルにより管理する管理ステップとを有し、複数のタイル画像から構成される第１の画像と第２の画像とを結合させる場合、前記管理ステップは、前記第１の画像と前記第２の画像の接する部分の各タイルを、前記テーブル上で結合させることを特徴とする。
【００１５】
【発明の実施の形態】
以下、図面を参照して本発明の実施の形態を説明する。
【００１６】
本実施形態に係る画像入出力システムの全体構成を、図１を参照しながら説明する。
【００１７】
リーダー部（画像入力装置）２００は、原稿画像を光学的に読み取り、画像データに変換する。リーダー部２００は、原稿を読み取るための機能を持つスキャナユニット２１０と、原稿用紙を搬送するための機能を持つ原稿給紙ユニット２５０とで構成される。
【００１８】
プリンタ部（画像出力装置）３００は、記録紙を搬送し、その上に画像データを可視画像として印字して装置外に排紙する。プリンタ部３００は、複数種類の記録紙カセットを持つ給紙ユニット３１０と、画像データを記録紙に転写、定着させる機能を持つマーキングユニット３２０と、印字された記録紙をソート、ステイプルして機外へ出力する機能を持つ排紙ユニット３３０とで構成される。
【００１９】
制御装置１１０は、リーダー部２００、プリンタ部３００と電気的に接続され、さらにネットワーク４００を介して、ホストコンピュータ４０１，４０２と接続されている。
【００２０】
制御装置１１０は、リーダー部２００を制御して、原稿の画像データを読み込み、プリンタ部３００を制御して画像データを記録用紙に出力してコピー機能を提供する。また、リーダー部２００から読み取った画像データを、コードデータに変換し、ネットワーク４００を介してホストコンピュータへ送信するスキャナ機能、ホストコンピュータからネットワーク４００を介して受信したコードデータを画像データに変換し、プリンタ部３００に出力するプリンタ機能を提供する。
【００２１】
操作部１５０は、制御装置１１０に接続され、液晶タッチパネルで構成され、画像入出力システムを操作するためのユーザＩ／Ｆを提供する。
【００２２】
図２はリーダー部２００及びプリンタ部３００の概観図である。リーダー部の原稿給送ユニット２５０は原稿を先頭順に１枚ずつプラテンガラス２１１上へ給送し、原稿の読み取り動作終了後、プラテンガラス２１１上の原稿を排出するものである。原稿がプラテンガラス２１１上に搬送されると、ランプ２１２を点灯し、そして光学ユニット２１３の移動を開始させて、原稿を露光走査する。この時の原稿からの反射光は、ミラー２１４、２１５、２１６及びレンズ２１７によってＣＣＤイメージセンサ（以下ＣＣＤという）２１８へ導かれる。このように、走査された原稿の画像はＣＣＤ２１８によって読み取られる。
【００２３】
２２２はリーダー画像処理回路部であり、ＣＣＤ２１８から出力される画像データに所定の処理を施し、スキャナＩ／Ｆ１４０を介して制御装置１１０へと出力するところである。
【００２４】
３５２はプリンタ画像処理回路部であり、プリンタＩ／Ｆ１４５を介して制御装置１１０から送られる画像信号をレーザドライバへと出力するところである。
【００２５】
プリンタ部３００のレーザドライバ３１７はレーザ発光部３１３、３１４、３１５、３１６を駆動するものであり、プリンタ画像処理部３５２から出力された画像データに応じたレーザ光をレーザ発光部３１３、３１４、３１５、３１６を発光させる。このレーザ光はミラー３４０、３４１、３４２、３４３、３４４、３４５、３４６、３４７、３４８、３４９、３５０、３５１によって感光ドラム３２５、３２６、３２７、３２８に照射され、感光ドラム３２５、３２６、３２７、３２８にはレーザ光に応じた潜像が形成される。３２１、３２２、３２３、３２４は、それぞれブラック（Ｂｋ）、イエロー（Ｙ）、シアン（Ｃ）、マゼンダ（Ｍ）のトナーによって、潜像を現像するための現像器であり、現像された各色のトナーは、用紙に転写されフルカラーのプリントアウトがなされる。
【００２６】
用紙カセット３６０、３６１及び手差しトレイ３６２のいずれかより、レーザ光の照射開始と同期したタイミングで給紙された用紙は、レジストローラ３３３を経て、転写ベルト３３４上に吸着され、搬送される。そして、感光ドラム３２５、３２６、３２７、３２８に付着された現像剤を記録紙に転写する。現像剤の乗った記録紙は定着部３３５に搬送され、定着部３３５の熱と圧力により現像剤は記像紙に定着される。定着部３３５を通過した記録紙は排出ローラ３３６によって排出され、排紙ユニット３７０は排出された記録紙を束ねて記録紙の仕分けをしたり、仕分けされた記録紙のステイプルを行う。
【００２７】
また、両面記録が設定されている場合は、排出ローラ３３６のところまで記録紙を搬送した後、排出ローラ３３６の回転方向を逆転させ、フラッパ３３７によって再給紙搬送路３３８へ導く。再給紙搬送路３３８へ導かれた記録紙は上述したタイミングで転写ベルト３３４へ給紙される。
【００２８】
＜リーダー画像処理部の説明＞
図３は、リーダー画像処理部２２２の詳細な構成を示すブロック図である。このリーダー画像処理部２２２では、プラテンガラス２１１上の原稿はＣＣＤ２１８に読み取られて電気信号に変換される（ＣＣＤ２１８はカラーセンサの場合、ＲＧＢのカラーフィルタが１ラインＣＣＤ上にＲＧＢ順にインラインに乗ったものでも、３ラインＣＣＤで、それぞれＲフィルタ・Ｇフィルタ・ＢフィルタをそれぞれのＣＣＤごとに並べたものでも構わないし、フィルタがオンチップ化又は、フィルタがＣＣＤと別構成になったものでも構わない）。そして、その電気信号（アナログ画像信号）は画像処理部２２２に入力され、クランプ＆Ａｍｐ．＆Ｓ／Ｈ＆Ａ／Ｄ部３０１でサンプルホールド（Ｓ／Ｈ）され、アナログ画像信号のダークレベルを基準電位にクランプし、所定量に増幅され（上記処理順番は表記順とは限らない）、Ａ／Ｄ変換されて、例えばＲＧＢ各８ビットのディジタル信号に変換される。そして、ＲＧＢ信号はシェーディング部３０２で、シェーディング補正及び黒補正が施された後、制御装置１１０へと出力される。
【００２９】
＜制御装置の説明＞
制御装置１１０の機能を、図４に示すブロック図をもとに説明する。メインコントローラ１１１は、主にＣＰＵ１１２と、バスコントローラ１１３、各種Ｉ／Ｆコントローラ回路とから構成される。
【００３０】
ＣＰＵ１１２とバスコントローラ１１３は制御装置１１０全体の動作を制御するものであり、ＣＰＵ１１２はＲＯＭ１１４からＲＯＭ  Ｉ／Ｆ１１５を経由して読込んだプログラムに基いて動作する。また、ホストコンピュータから受信したＰＤＬ（ページ記述言語）コードデータを解釈し、ラスターイメージデータに展開する動作も、このプログラムに記述されており、ソフトウェアによって処理される。バスコントローラ１１３は各Ｉ／Ｆから入出力されるデータ転送を制御するものであり、バス競合時の調停やＤＭＡデータ転送の制御を行う。
【００３１】
ＤＲＡＭ１１６はＤＲＡＭＩ／Ｆ１１７によってメインコントローラ１１１と接続されており、ＣＰＵ１１２が動作するためのワークエリアや、画像データを蓄積するためのエリアとして使用される。
【００３２】
Ｃｏｄｅｃ１１８は、ＤＲＡＭ１１６に蓄積されたラスターイメージデータをＭＨ／ＭＲ／ＭＭＲ／ＪＢＩＧ／ＪＰＥＧ等の方式で圧縮し、また逆に圧縮され蓄積されたコードデータをラスターイメージデータに伸長する。ＳＲＡＭ１１９はＣｏｄｅｃ１１８の一時的なワーク領域として使用される。Ｃｏｄｅｃ１１８はＩ／Ｆ１２０を介してメインコントローラ１１１と接続され、ＤＲＡＭ１１６との間のデータの転送は、バスコントローラ１１３によって制御されＤＭＡ転送される。
【００３３】
Ｇｒａｐｈｉｃ  Ｐｒｏｃｅｓｓｏｒ１３５は、ＤＲＡＭ１１６に蓄積されたラスターイメージデータに対して、画像回転、画像変倍、色空間変換、二値化の処理をそれぞれ行う。ＳＲＡＭ１３６はＧｒａｐｈｉｃ  Ｐｒｏｃｅｓｓｏｒ１３５の一時的なワーク領域として使用される。Ｇｒａｐｈｉｃ  Ｐｒｏｃｅｓｓｏｒ１３５はＩ／Ｆ１３７を介してメインコントローラ１１１と接続され、ＤＲＡＭ１１６との間のデータの転送は、バスコントローラ１１３によって制御されＤＭＡ転送される。
【００３４】
Ｎｅｔｗｏｒｋ  Ｃｏｎｔｏｒｌｌｅｒ１２１はＩ／Ｆ１２２によってメインコントローラ１１１と接続され、コネクタ１２２によって外部ネットワークと接続される。ネットワークとしては一般的にイーサネット（Ｒ）があげられる。
【００３５】
汎用高速バス１２５には、拡張ボードを接続するための拡張コネクタ１２４とＩ／Ｏ制御部１２６とが接続される。汎用高速バスとしては、一般的にＰＣＩバスがあげられる。
【００３６】
Ｉ／Ｏ制御部１２６には、リーダー部２００、プリンタ部３００の各ＣＰＵと制御コマンドを送受信するための調歩同期シリアル通信コントローラ１２７が２チャンネル装備されており、Ｉ／Ｏバス１２８によって外部Ｉ／Ｆ回路１４０，１４５に接続されている。
【００３７】
パネルＩ／Ｆ１３２は、ＬＣＤコントローラ１３１に接続され、操作部１５０上の液晶画面に表示を行うためのＩ／Ｆと、ハードキーやタッチパネルキーの入力を行うためのキー入力Ｉ／Ｆ１３０とから構成される。
【００３８】
操作部１５０は液晶表示部と液晶表示部上に張り付けられたタッチパネル入力装置と、複数個のハードキーを有する。タッチパネルまたはハードキーにより入力された信号は前述したパネルＩ／Ｆ１３２を介してＣＰＵ１１２に伝えられ、液晶表示部はパネルＩ／Ｆ５２０から送られてきた画像データを表示するものである。液晶表示部には、本画像形成装置の操作における機能表示や画像データ等を表示する。
【００３９】
リアルタイムクロックモジュール１３３は、機器内で管理する日付と時刻を更新／保存するためのもので、バックアップ電池１３４によってバックアップされている。
【００４０】
Ｅ−ＩＤＥインタフェース１６１は、外部記憶装置を接続するためのものである。本実施形態においては、このＩ／Ｆを介してハードディスクドライブ１６０を接続し、ハードディスク１６２へ画像データを記憶させたり、ハードディスク１６２から画像データを読み込む動作を行う。
【００４１】
コネクタ１４２と１４７は、それぞれリーダー部２００とプリンタ部３００とに接続され、同調歩同期シリアルＩ／Ｆ（１４３，１４８）とビデオＩ／Ｆ（１４４，１４９）とから構成される。
【００４２】
スキャナＩ／Ｆ１４０は、コネクタ１４２を介してリーダー部２００と接続され、また、スキャナバス１４１によってメインコントローラ１１１と接続されており、リーダー部２００から受け取った画像に対して所定の処理を施す機能を有し、さらに、リーダー部２００から送られたビデオ制御信号をもとに生成した制御信号を、スキャナバス１４１に出力する機能も有する。
【００４３】
スキャナバス１４１からＤＲＡＭ１１６へのデータ転送は、バスコントローラ１１３によって制御される。
【００４４】
プリンタＩ／Ｆ１４５は、コネクタ１４７を介してプリンタ部３００と接続され、また、プリンタバス１４６によってメインコントローラ１１１と接続されており、メインコントローラ１１１から出力された画像データに所定の処理を施して、プリンタ部３００へ出力する機能を有し、さらに、プリンタ部３００から送られたビデオ制御信号をもとに生成した制御信号を、プリンタバス１４６に出力する機能も有する。
【００４５】
ＤＲＡＭ１１６上に展開されたラスターイメージデータのプリンタ部への転送は、バスコントローラ１１３によって制御され、プリンタバス１４６、ビデオＩ／Ｆ１４９を経由して、プリンタ部３００へＤＭＡ転送される。
【００４６】
＜スキャナＩ／Ｆの画像処理部の説明＞
スキャナＩ／Ｆ１４０の画像処理を担う部分についての詳細な説明を行う。図５はスキャナＩ／Ｆ１４０の画像処理を担う部分の詳細な構成を示すブロック図である。
【００４７】
リーダー部２００から、コネクタ１４２を介して送られる画像信号に対して、つなぎ＆ＭＴＦ補正部５０１で、ＣＣＤ２１８が３ラインＣＣＤの場合、つなぎ処理はライン間の読取位置が異なるため、読取速度に応じてライン毎の遅延量を調整し、３ラインの読取位置が同じになるように信号タイミングを補正し、ＭＴＦ補正は読取速度によって読取のＭＴＦが変るため、その変化を補正する。読取位置タイミングが補正されたデジタル信号は入力マスキング部５０２によって、ＣＣＤ２１８の分光特性及びランプ２１２及びミラー２１４、２１５、２１６の分光特性を補正する。入力マスキング部５０２の出力はＡＣＳカウント部５０３及びメインコントローラ１１１へと送られる。
【００４８】
＜ＡＣＳカウント部の説明＞
ＡＣＳ（オートカラーセレクト）カウント部の説明を図６を用いて行う。オートカラーセレクト（以下ＡＣＳ）は、原稿がカラーなのか白黒なのかを判断する。つまり画素ごとの彩度を求めてある閾値以上の画素がどれだけ存在するかでカラー判定を行うものである。しかし、白黒原稿であっても、ＭＴＦ等の影響により、ミクロ的に見るとエッジ周辺に色画素が多数存在し、単純に画素単位でＡＣＳ判定を行うのは難しい。このＡＣＳ手法はさまざまな方法が提供されているが、本実施形態ではＡＣＳの方法にはこだわらない為、ごく一般的な手法で説明を行う。
【００４９】
前記したように、白黒画像でもミクロ的に見ると色画素が多数存在するわけであるから、その画素が本当に色画素であるかどうかは、注目画素に対して周辺の色画素の情報で判定する必要がある。６０１はそのためのフィルタであり、注目画素に対して周辺画素を参照する為にＦＩＦＯの構造をとる。６０２はメインコントローラ１１１からセットされた６０７〜６１０のレジスタに設定された値と、リーダー部２００から送られたビデオ制御信号６１２を元に、ＡＣＳをかける領域信号６０５を作成する回路である。６０３の色判定部は、ＡＣＳをかける領域信号６０５に基づき、注目画素に対して６０１のフィルタ内のメモリ内の周辺画素を参照し、注目画素が色画素か白黒画素かを決定する為の色判定部である。６０４は６０３の色判定部が出力した色判定信号の個数を数えるカウンタである。
【００５０】
メインコントローラ１１１は読み込み範囲に対してＡＣＳをかける領域を決定し、５０７〜５１０のレジスタに設定する（本実施形態では、原稿に対して独立で範囲を決める構成をとる）。また、メインコントローラ１１１はＡＣＳをかける領域内での色判定信号の個数を計数するカウンタの値を、所定の閾値と比較し、当該原稿がカラーなのか白黒なのかを判断する。
【００５１】
５０７〜５１０のレジスタには、主走査方向、副走査方向それぞれについて、色判定部５０３が判定を開始する位置、判定を終了する位置を、リーダー部２００から送られたビデオ制御信号５１２に基づいて設定しておく。本実施形態では、実際の原稿の大きさよりもそれぞれ１０ｍｍ程度小さめに設定している。
【００５２】
＜プリンタＩ／Ｆの画像処理部の説明＞
プリンタＩ／Ｆ１４５の画像処理を担う部分についての詳細な説明を行う。図７はプリンタＩ／Ｆ１４５の画像処理を担う部分の詳細な構成を示すブロック図である。
【００５３】
メインコントローラ１１１から、プリンタバス１４６を介して送られる画像信号は、まずＬＯＧ変換部７０１に入力される。ＬＯＧ変換部７０１では、ＬＯＧ変換でＲＧＢ信号からＣＭＹ信号に変換する。次にモアレ除去部７０２でモアレが除去される。７０３はＵＣＲ＆マスキング部で、モアレ除去処理されたＣＭＹ信号はＵＣＲ処理でＣＭＹＫ信号が生成され、マスキング処理部でプリンタの出力にあった信号に補正される。ＵＣＲ＆マスキング部７０３で処理された信号はγ補正部７０４で濃度調整された後フィルタ部７０５でスムージング又はエッジ処理される。これらの処理を経て、コネクタ１４７を介してプリンタ部３００へと画像が送られる。
【００５４】
＜Ｇｒａｐｈｉｃ  Ｐｒｏｃｅｓｓｏｒの説明＞
Ｇｒａｐｈｉｃ  Ｐｒｏｃｅｓｓｏｒ１３５についての詳細な説明を行う。図８はＧｒａｐｈｉｃ  Ｐｒｏｃｅｓｓｏｒ１３５の詳細な構成を示すブロック図である。
【００５５】
Ｇｒａｐｈｉｃ  Ｐｒｏｃｅｓｓｏｒ１３５は、画像回転、画像変倍、色空間変換、二値化の処理をそれぞれ行うモジュールを有する。ＳＲＡＭ１３６はＧｒａｐｈｉｃ  Ｐｒｏｃｅｓｓｏｒ１３５の各々のモジュールの一時的なワーク領域として使用される。各々のモジュールが用いるＳＲＡＭ１３６のワーク領域が競合しないよう、あらかじめ各々のモジュールごとにワーク領域が静的に割り当てられているものとする。Ｇｒａｐｈｉｃ  Ｐｒｏｃｅｓｓｏｒ１３５はＩ／Ｆ１３７を介してメインコントローラ１１１と接続され、ＤＲＡＭ１１６との間のデータの転送は、バスコントローラ１１３によって制御されＤＭＡ転送される。
【００５６】
バスコントローラ１１３は、ＧｒａｐｈｉｃＰｒｏｃｅｓｓｏｒ１３５の各々のモジュールにモード等を設定する制御及び、各々のモジュールに画像データを転送するためのタイミング制御を行う。
【００５７】
＜画像回転部の説明＞
以下に画像回転部８０１における処理手順を示す。Ｉ／Ｆ１３７を介して、ＣＰＵ１１２からバスコントローラ１１３に画像回転制御のための設定を行う。この設定によりバスコントローラ１１３は画像回転部８０１に対して画像回転に必要な設定（例えば画像サイズや回転方向・角度等）を行う。必要な設定を行った後に、再度ＣＰＵ１１２からバスコントローラ１１３に対して画像データ転送の許可を行う。この許可に従い、バスコントローラ１１３はＤＲＡＭ１１６もしくは各Ｉ／Ｆを介して接続されているデバイスから画像データの転送を開始する。尚、ここでは回転を行う画像サイズを３２画素×３２ラインとし、又、画像バス２００８上に画像データを転送させる際に２４ｂｙｔｅ（ＲＧＢ各々８ｂｉｔで１画素分）を単位とする画像転送を行うものとする。
【００５８】
上述のように、３２画素×３２ラインの画像を得るためには、上述の単位データ転送を３２×３２回行う必要があり、且つ不連続なアドレスから画像データを転送する必要がある。（図９参照）
【００５９】
不連続アドレッシングにより転送された画像データは、読み出し時に所望の角度に回転されているように、ＳＲＡＭ１３６に書き込まれる。例えば、９０度反時計方向回転であれば、転送される画像データを、図１０のようにＹ方向に書き込んでいく。読み出し時にＸ方向に読み出すことで、画像が回転される。
【００６０】
３２画素×３２ラインの画像回転（ＳＲＡＭ１３６への書き込み）が完了した後、画像回転部８０１はＳＲＡＭ１３６から上述した読み出し方法で画像データを読み出し、バスコントローラ１１３に画像を転送する。
【００６１】
回転処理された画像データを受け取ったバスコントローラ１１３は、連続アドレッシングを以て、ＤＲＡＭ１１６もしくはＩ／Ｆ上の各デバイスにデータを転送する。
【００６２】
こうした一連の処理は、ＣＰＵ１１２からの処理要求が無くなるまで（必要なページ数の処理が終わったとき）繰り返される。
【００６３】
＜画像変倍部の説明＞
以下に画像変倍部８０２における処理手順を示す。Ｉ／Ｆ１３７を介して、ＣＰＵ１１２からバスコントローラ１１３に画像変倍制御のための設定を行う。この設定によりバスコントローラ１１３は画像変倍部８０２に対して画像変倍に必要な設定（主走査方向の変倍率、副走査方向の変倍率、変倍後の画像サイズ等）を行う。必要な設定を行った後に、再度ＣＰＵ１１２からバスコントローラ１１３に対して画像データ転送の許可を行う。この許可に従い、バスコントローラ１１３はＤＲＡＭ１１６もしくは各Ｉ／Ｆを介して接続されているデバイスから画像データの転送を開始する。
【００６４】
画像変倍部８０２は、受け取った画像データを一時ＳＲＡＭ１３６に格納し、これを入力バッファとして用いて、格納したデータに対して主走査、副走査の変倍率に応じて必要な画素数、ライン数の分の補間処理を行って画像を拡大もしくは縮小することで、変倍処理とする。変倍後のデータは再度ＳＲＡＭ１３６へ書き戻し、これを出力バッファとして画像変倍部８０２はＳＲＡＭ１３６から画像データを読み出し、バスコントローラ１１３に転送する。
【００６５】
変倍処理された画像データを受け取ったバスコントローラ１１３は、ＤＲＡＭ１１６もしくはＩ／Ｆ上の各デバイスにデータを転送する。
【００６６】
＜色空間変換部の説明＞
以下に色空間変換部８０３における処理手順を示す。Ｉ／Ｆ１３７を介して、ＣＰＵ１１２からバスコントローラ１１３に色空間変換制御のための設定を行う。この設定によりバスコントローラ１１３は色空間変換部８０３およびＬＵＴ（ルック・アップ・テーブル）８０４に対して色空間変換処理に必要な設定（後述のマトリックス演算の係数、ＬＵＴ８０４のテーブル値等）を行う。必要な設定を行った後に、再度ＣＰＵ１１２からバスコントローラ１１３に対して画像データ転送の許可を行う。この許可に従い、バスコントローラ１１３はＤＲＡＭ１１６もしくは各Ｉ／Ｆを介して接続されているデバイスから画像データの転送を開始する。
【００６７】
色空間変換部８０３は、受け取った画像データ１画素ごとに対して、まず下記の式で表される３×３のマトリックス演算を施す。
【００６８】
【外１】
2004151854.tif 000003
【００６９】
上式において、Ｒ、Ｇ、Ｂが入力、Ｘ、Ｙ、Ｚが出力、ａ１１、ａ１２、ａ１３、ａ２１、ａ２２、ａ２３、ａ３１、ａ３２、ａ３３、ｂ１、ｂ２、ｂ３、ｃ１、ｃ２、ｃ３がそれぞれ係数である。
【００７０】
上式の演算によって、例えばＲＧＢ色空間からＹｕｖ色空間への変換など、各種の色空間変換を行うことができる。
【００７１】
次に、マトリックス演算後のデータに対して、ＬＵＴ８０４による変換を行う。これによって、非線形の変換をも行うことができる。当然、スルーのテーブルを設定することにより、実質的にＬＵＴ変換を行わないこともできる。
【００７２】
その後、色空間変換部８０３は色空間変換処理された画像データをバスコントローラ１１３に転送する。
【００７３】
色空間変換処理された画像データを受け取ったバスコントローラ１１３は、ＤＲＡＭ１１６もしくはＩ／Ｆ上の各デバイスにデータを転送する。
【００７４】
＜画像二値化部の説明＞
以下に画像二値化部８０５における処理手順を示す。Ｉ／Ｆ１３７を介して、ＣＰＵ１１２からバスコントローラ１１３に二値化制御のための設定を行う。この設定によりバスコントローラ１１３は画像二値化部８０５に対して二値化処理に必要な設定（変換方法に応じた各種パラメータ等）を行う。必要な設定を行った後に、再度ＣＰＵ１１２からバスコントローラ１１３に対して画像データ転送の許可を行う。この許可に従い、バスコントローラ１１３はＤＲＡＭ１１６もしくは各Ｉ／Ｆを介して接続されているデバイスから画像データの転送を開始する。
【００７５】
画像二値化部８０５は、受け取った画像データに対して二値化処理を施す。本実施形態では、二値化の手法としては、画像データを所定の閾値と比較して単純に二値化するものとする。もちろん、ディザ法、誤差拡散法、誤差拡散法を改良したものなど、いずれの手法によってもかまわない。
【００７６】
その後、画像二値化部８０５は二値化処理された画像データをバスコントローラ１１３に転送する。二値化処理された画像データを受け取ったバスコントローラ１１３は、ＤＲＡＭ１１６もしくはＩ／Ｆ上の各デバイスにデータを転送する。
【００７７】
＜ＰＤＬ画像出力時のシーケンス＞
図１１は、本実施形態におけるＰＤＬ画像出力の手順を示すフローチャートである。なお、図中のＳ１１０１〜Ｓ１１０９は各ステップを示す。
【００７８】
ＰＤＬ画像を出力する場合、Ｓ１１０１では、ＰＣ４０１上でユーザーが当該ＰＤＬ画像出力ジョブのプリント設定を行う。プリント設定内容は、部数、用紙サイズ、片面／両面、ページ出力順序、ソート出力、ステイプル止めの有無等である。ここで、本発明に係るタブシート印刷を実行する場合、タブシートモードを設定する。
【００７９】
Ｓ１１０２では、ＰＣ４０１上で印刷指示を与え、それと共にＰＣ４０１上にインストールされているドライバソフトウェアが、印刷対象となるＰＣ４０１上のコードデータをいわゆるＰＤＬデータに変換して、Ｓ１１０１で設定したプリント設定パラメータとともに、本画像入出力装置の制御装置１１０に、ネットワーク４００を介してＰＤＬデータを転送する。
【００８０】
Ｓ１１０３では、制御装置１１０のメインコントローラ１１１のＣＰＵ１１２が、コネクタ１２２およびＮｅｔｗｏｒｋＣｏｎｔｒｏｌｌｅｒ１２１を介して転送されたＰＤＬデータを前記プリント設定パラメータに基づいて、画像データに展開（ラスタライズ）する。画像データの展開は、ＤＲＡＭ１１６上に行われる。画像データの展開が完了するとＳ１１０４へ進む。
【００８１】
Ｓ１１０４では、メインコントローラ１１１がＤＲＡＭ１１６上に展開された画像データを、Ｇｒａｐｈｉｃ  Ｐｒｏｃｅｓｓｏｒ１３５に転送する。
【００８２】
Ｓ１１０５では、Ｇｒａｐｈｉｃ  Ｐｒｏｃｅｓｓｏｒ１３５が、前記プリント設定パラメータとは独立に、画像処理を行う。例えば、前記プリント設定パラメータで指定された用紙サイズがＡ４であるにもかかわらず、プリンタ部３００の給紙ユニット３６０にはＡ４Ｒ用紙しかない場合には、Ｇｒａｐｈｉｃ  Ｐｒｏｃｅｓｓｏｒ１３５で画像を９０度回転することによって、出力用紙にあわせた画像出力を行うことができる。画像データの画像処理が完了するとＳ１１０６へ進む。
【００８３】
Ｓ１１０６では、Ｇｒａｐｈｉｃ  Ｐｒｏｃｅｓｓｏｒ１３５がメインコントローラ１１１へ画像処理後の画像データを転送する。メインコントローラ１１１は転送されてきた画像データをＤＲＡＭ１１６上に記憶する。
【００８４】
Ｓ１１０７では、ステップＳ１１０１での設定に基づき、印刷モードがタブシートモードに設定されているか否かを判断する。
【００８５】
ステップＳ１１０７で、タブシートモードでないと判断された場合、ステップＳ１１０８へ進み、Ｓ１１０８では、メインコントローラ１１１はプリンタＩ／Ｆ１４５およびコネクタ１４７を介して、プリンタ部３００を制御しつつ、適切なタイミングでＤＲＡＭ１１６上の画像データを、プリンタ部３００へと転送する。
【００８６】
Ｓ１１０９では、制御装置１１０が、プリンタ部３００を制御して画像データをプリント出力する。画像データの転送が完了すると、すなわち当該ＰＤＬジョブが終了すると、プリント出力を終了する。
【００８７】
一方、ステップＳ１１０７で、タブシートモードであると判断された場合、ステップ１１１０に進み、図１７及び図１８を用いて後述するタブシートイメージをＤＲＡＭ上に形成する。
【００８８】
そして、ステップＳ１１０８へ進み、ＤＲＡＭからプリンタへ生成した画像データを転送し、ステップＳ１１０９において、予め設定されているタブシートに画像をプリントし、処理を終了する。
【００８９】
＜コピー画像出力時のシーケンス＞
図１２は、本実施形態におけるコピー画像出力の手順を示すフローチャートである。なお、図中のＳ１２０１〜Ｓ１２０８は各ステップを示す。
【００９０】
コピー画像を出力する場合、Ｓ１２０１では、操作部１５０上でユーザーが当該コピー画像出力ジョブのコピー設定を行う。コピー設定内容は、部数、用紙サイズ、片面／両面、拡大／縮小率、ソート出力、ステイプル止めの有無等である。なお、ここで、本発明に係るタブシート印刷を実行する場合、タブシートモードを設定する。
【００９１】
Ｓ１２０２では、操作部１５０上でコピー開始指示を与えると、制御装置１１０のメインコントローラ１１１はスキャナＩ／Ｆ１４０およびコネクタ１４２を介してリーダー部２００を制御し、原稿の画像データの読み込み動作を行う。まず、原稿給送ユニット２５０は、載置された原稿を１枚ずつプラテンガラス２１１上へ給送し、その際同時に原稿のサイズを検知する。検知された原稿のサイズに基づいて原稿を露光走査することにより、画像データを読み取るわけである。読み取られた画像データはＤＲＡＭ１１６上に記憶される。従来のコピー機では、前記コピー設定の拡大／縮小率の設定に応じて、すなわち副走査方向の変倍率に応じて光学ユニット２１３の移動速度を変化させることにより副走査方向の変倍処理を実現していた。しかしながら、本実施形態では、前記コピー設定の拡大／縮小率の設定にかかわらず、必ず等倍（１００％）で画像データを読み取り、変倍処理については、主走査方向、副走査方向ともに、後述するＧｒａｐｈｉｃ
Ｐｒｏｃｅｓｓｏｒ１３５によって行うものとする。
【００９２】
Ｓ１２０３では、メインコントローラ１１１がＤＲＡＭ１１６上の画像データを、Ｇｒａｐｈｉｃ  Ｐｒｏｃｅｓｓｏｒ１３５に転送する。
【００９３】
Ｓ１２０４では、Ｇｒａｐｈｉｃ  Ｐｒｏｃｅｓｓｏｒ１３５が、前記コピー設定パラメータに基づいて画像処理を行う。例えば、拡大４００％の設定がなされているときには、Ｇｒａｐｈｉｃ  Ｐｒｏｃｅｓｓｏｒ１３５内のモジュールである画像変倍部を用いて主走査方向、副走査方向、双方への変倍処理を行う。画像データの画像処理が完了するとＳ１２０５へ進む。
【００９４】
Ｓ１２０５では、Ｇｒａｐｈｉｃ  Ｐｒｏｃｅｓｓｏｒ１３５がメインコントローラ１１１へ画像処理後の画像データを転送する。メインコントローラ１１１は転送されてきた画像データをＤＲＡＭ１１６上に記憶する。
【００９５】
Ｓ１２０６では、ステップＳ１２０１での設定に基づき、印刷モードがタブシートモードに設定されているか否かを判断する。
【００９６】
ステップＳ１２０６で、タブシートモードでないと判断された場合、ステップＳ１２０７へ進み、Ｓ１２０７では、メインコントローラ１１１はプリンタＩ／Ｆ１４５およびコネクタ１４７を介して、プリンタ部３００を制御しつつ、適切なタイミングでＤＲＡＭ１１６上の画像データを、プリンタ部３００へと転送する。
【００９７】
Ｓ１２０８では、制御装置１１０が、プリンタ部３００を制御して画像データをプリント出力する。画像データの転送が完了すると、すなわち当該コピージョブが終了すると、プリント出力を終了する。
【００９８】
一方、ステップＳ１２０６で、タブシートモードであると判断された場合、ステップ１１１０に進み、図１７及び図１８を用いて後述するタブシートイメージをＤＲＡＭ上に形成する。
【００９９】
そして、ステップＳ１２０８へ進み、ＤＲＡＭからプリンタへ生成した画像データを転送し、ステップＳ１２０８において、予め設定されているタブシートに画像をプリントし、処理を終了する。
【０１００】
＜画像パケット構造の実施形態＞
図１３は、本実施形態のパケット構造を示す図である。１パケットは３２×３２画素の１タイル分の画像データを収容するデータ本体１０と、ヘッダ１２からなる。ヘッダ１２は、パケットのシリアル番号を示すパケットＩＤ１４、データ本体１０に収容される画像データが圧縮されているか否かを示す圧縮フラグ１６、及び、データ本体１０に収容される画像データ量を示す画像データ長１８を具備する。本実施形態では、パケットＩＤ１４は１バイト、圧縮フラグ１６は１ビット、データ長１８は２バイトである。パケットヘッダには上記以外に、圧縮方式を示すフラグ、像域判定のフラグ、ＡＣＳ判定の結果、色空間情報など、任意の情報を含めることができる。
【０１０１】
図１４は、１ページの画像データを３２画素×３２画素からなるタイルに分割した様子を示す。１タイルの画像データが、図１４に示すように１つのパケットに収容される。１タイルは３２×３２画素でなくても良く、例えば、６４×６４画素でも良いし、更には、正方形でなく矩形などでも良い。１タイルが３２画素×３２画素の場合、例えば、Ａ４を６００ｄｐｉの解像度では、タイル数は、２２０×１５６＝３４３２０になり、Ａ３を１２００ｄｐｉの解像度では、タイル数は４４０×６２４＝２７４，５６０になる。
【０１０２】
本実施形態では、画像データを圧縮する場合に、１ページ分をまとめて圧縮するのではなく、パケット単位、即ち、タイル単位で画像データを圧縮するか否かを決定する。圧縮後のデータ量が圧縮前のデータ量よりも多くなる場合には、圧縮しない。
【０１０３】
本実施形態のパケットは、ヘッダ１２に圧縮フラグ１６を具備するので、データ本体１０に圧縮画像データが収容されたか非圧縮の画像データが収容されたかを圧縮フラグ１６で識別できる。圧縮画像データをデータ本体１０に収容した場合には、圧縮フラグに’１’をセットし、データ本体１０に非圧縮画像データを収容した場合には、圧縮フラグに’０’をセットする。１ページ中には、圧縮画像データを持つパケットと、非圧縮画像データを持つパケットが混在する。
【０１０４】
例えば、１ページのプレーンな画像データがあり、これを圧縮する場合に、本実施形態の画像データフォーマットの形式を採用したとする。先ず、ページ画像データを図１４に示すようにタイルに分割する。このタイル毎の画像データを、例えばＪＰＥＧ方式などで圧縮する。圧縮方法は、別の方法でも良い。圧縮の結果、元の画像データ量よりもデータ量が少なくなったときには、圧縮画像データをパケットのデータ本体１０に収容し、そのデータ量をヘッダ１２のデータ長１８に格納し、圧縮フラグ１６に’１’をセットする。逆に、圧縮の結果、元の画像データ量よりもデータ量が多くなったときには、非圧縮の画像データをパケットのデータ本体１０に収容し、そのデータ量をヘッダ１２のデータ長１８に格納し、圧縮フラグ１６に’０’をセットする。
【０１０５】
このようにして、各タイルについてデータの圧縮とパケット化を繰り返し、１ページのデータを作成する。このようにして出来た１ページ分のデータは、各パケットのデータ本体１０について元の画像データ量を超えないことを保証できる。ヘッダ１２のデータ量は固定（４バイト）なので、１ページの総データ量の最大値は、（１タイルの非圧縮の画像データ量＋ヘッダのデータ量４Ｂｙｔｅ）×（１ページのタイル数）で計算される。
【０１０６】
圧縮／非圧縮のパケットが混在しているページ画像データを伸長して非圧縮の画像データを復元する場合には、各パケットのヘッダ１２の圧縮フラグ１６を参照し、それが’１’であるパケットに収容されるデータのみを伸長すればよい。
【０１０７】
このように、本実施形態では、１タイル分の非圧縮画像データを一時保持すれば済むので、そのためのメモリ容量は小さくて済む。そのタイルの画像データの圧縮が終了し、そのタイルのパケットを生成した後は、そのタイルの画像データを消去しても構わない。つまり、１タイルの画像データを圧縮しパケット化する毎に、そのタイルの原画像データを消去できる。これにより、圧縮の際に必要となるメモリの作業領域は、１タイル分の画像データの容量があれば良いことになる。
【０１０８】
図１５は、本実施形態におけるパケットデータ生成に係る構成を説明するブロック図である。メモリ１１６を除く図１５の処理ブロックは、図４に示すメインコントローラ１１１に含まれる。１１２はＣＰＵ、２２はメモリ制御回路であり、１１６はメモリ（ＤＲＡＭ）である。３４は、ＣＰＵ２０、メモリ制御回路２２及びＤＭＡ制御回路３２を接続するシステムバスである。
【０１０９】
２６は処理すべき画像データが入力する入力端子、２８は入力端子２６に入力した画像データを、図１３及び図１４を参照して説明したパケットに成形するパケット生成回路である。パケット生成回路２８は、タイル単位で画像データを圧縮する画像圧縮回路を具備する。３０は、画像圧縮前後の画像データを一時記憶するバッファである。３２は、パケット生成回路２８の出力パケットをＤＭＡ（Ｄｉｒｅｃｔ  Ｍｅｍｏｒｙ  Ａｃｃｅｓｓ）方式で、メモリ制御回路２２を介してメモリ２４に転送するＤＭＡ制御回路である。
【０１１０】
基本的なデータの流れを説明する。スキャナＩ／Ｆ１４０等から入力された画像データが、３２画素×３２画素のタイル単位で入力端子２６に入力する。パケット生成回路２８は、タイル単位で画像データを圧縮し、非圧縮画像データと圧縮画像データとを比較し、少ないデータ量の方をデータ本体１０に収容し、ヘッダ１２の圧縮フラグ１６に’０’又は’１’をセットし、図１３に示すパケットのフォーマットでＤＭＡ制御回路３２に出力する。ＤＭＡ制御回路３２は、パケット生成回路２８からのパケット・データを、システム・バス３４及びメモリ制御回路２２を介してメモリ２４に書き込む。
【０１１１】
図１６は、パケット生成回路２８の概略構成ブロック図を示す。圧縮回路４０は、入力端子２６からのタイル単位の画像データをバッファ３０に格納すると共に圧縮して圧縮画像データもバッファ３０に格納し、非圧縮画像データと圧縮画像データとを比較して、少ないデータ量の方を出力する。すなわち、圧縮後の画像データ量が圧縮前の画像データ量よりも少ない場合には、圧縮回路４０は、圧縮画像データをマージ回路４４に出力すると共に、ヘッダ生成回路４２に、マージ回路４４に出力したデータが圧縮データであること及びそのデータ量を通知する。逆に、圧縮後の画像データ量が圧縮前の画像データ量よりも多い場合には、圧縮回路４０は、圧縮前の画像データをマージ回路４４に出力すると共に、ヘッダ生成回路４２に、マージ回路４４に出力したデータが非圧縮データであること及びそのデータ量を通知する。
【０１１２】
ヘッダ生成回路４２は、パケットＩＤ１４を順にインクリメントし、画像データ長１８にデータ量をセットし、圧縮フラグ１６については、圧縮回路４０がマージ回路４４に非圧縮データを出力するときには、’０’をセットし、圧縮回路４０がマージ回路４４に圧縮画像データを出力するときには、’１’をセットする。そして、ヘッダ生成回路４２は、このように生成したヘッダ情報をマージ回路４４に出力する。
【０１１３】
マージ回路４４は、ヘッダ生成回路４２からのヘッダと圧縮回路４０からのデータとをマージして、図１３に示すフォーマットのパケットを生成する。生成されたパケットは、ＤＭＡ制御回路３２に送られる。
【０１１４】
ＤＭＡ制御回路３２は、パケットデータを格納するアドレスを示すパケットアドレスレジスタを具備する。ＤＭＡ制御回路３２は、パケット生成回路２８（のマージ回路４４）からのパケットを、パケットアドレスレジスタで示されるメモリ１１６のアドレスへ書き込む。パケットアドレスレジスタは、記憶値をパケット容量分だけ加算して更新する。その後、ＤＭＡ制御回路３２は、次のパケットをパケット生成回路２８から受け取る。
【０１１５】
＜結合画像形成の実施形態＞
図１７は、パケットデータとパケットテーブルの関係を示している。図中、１７００は各パケットのメモリ上での開始アドレス１７０１を示すパケットテーブル、１７０２はリピートフラグであり、ひとつ前のパケットとデータが同じ場合にフラグがＯＮになり、異なる場合にはＯＦＦに設定される。また、１７１０はメモリに格納されているパケットデータ領域であり、図示の如く模式的に示した。パケット１７１１とテーブル上のアドレスとは１対１で対応しており、パケット１７１２とテーブル上のアドレスとは、リピートフラグを用いることにより１対２で対応している。
【０１１６】
図１８は、タブシート画像をメモリ上で生成する構成を説明するためのイメージ図である。なお、以下説明するタブシート画像生成処理はＣＰＵ１１２の管理及び制御のもと実行される。
【０１１７】
画像１８０８は、Ａ４サイズ原稿をスキャンして得られたスキャン画像である（横方向に「入力画像幅（Ａ４）」と記載の領域）。画像１８０８に含まれる画像１８０９は、タブ紙のタブ位置に対応する見出し画像である。画像１８０６は、タブ位置に見出し１８０９を印字するための画像を形成したい場合に、見出しとは逆の左側に付加するタブインデックス分画像である（横方向に「余白画像幅」と記載の領域）。
【０１１８】
タブ紙印刷を行う場合、タブインデックス分画像１８０６は白紙でも構わないので、実際のメモリ１１６上に記憶される画像は最初の白パケット１８０５のみであり、後はパケットテーブル１８０１のリピートフラグ１８０２にリピートフラグが立っている。このタブインデックス分白画像１８０６とスキャン画像１８０８を結合することで、タブシート画像形成用の結合画像（横方向に「出力画像幅（タブ有り部分）と記載の領域」）をメモリ上で生成する。
【０１１９】
この結合画像のパケットテーブルは、パケットのタイル画像１８０５をパケットテーブル上の１８０２に対応させたとき、その後のタブインデックス分画像１８０６の４パケット分リピートし、次のスキャン画像１８０８の先頭パケット１８０７をパケットテーブル上では６番目のパケット１８０３とする。これを縦方向に繰り返すことで、画像を結合することができる。
【０１２０】
また、本例では画像左端にタブインデックス分の画像を結合するが、例えばタブシート画像形成時には、予めタブ紙インデックス分の画像をスキャンし、その画像と該Ａ４スキャン画像を結合することで、タブシート全体分の画像を形成するようにしてもよい。
【０１２１】
以上説明してきたように、本実施形態では、パケットテーブルに基づき読み取り画像をメモリに記憶しておき、読み取り画像とタブインデックス分画像とをパケットテーブル上で結合させることで、タブシート画像形成用の画像をメモリ上に生成するようにした。これにより、従来のようなずらし印刷をせずにタブシート印刷ができるようになり、従来のような特別な原稿をセットする必要もないので、ユーザーにとっての操作性が飛躍的に向上する。
【０１２２】
さらに、この構成により、タブシート全体に画像を印刷することが可能となる。すなわち、タブインデックス分画像の位置に、スキャン画像とは別に、のりしろ情報、パンチ穴情報、ページ番号を可視的に通知するための付加画像や、バーコード等の識別画像を加えることが可能となる。また、タブシート印刷のためのスキャン画像と、他のＡ４スキャン画像とを用いた２ｉｎ１印刷等でも、全体のレイアウトや縮小率を変更することなく、タブシート全体に印刷することが可能となる。
【０１２３】
また、読み取り画像とタブインデックス分画像とを結合させる際には、各画像の接する部分の各タイルを、パケットテーブル上で結合させるようにした。これにより、メモリ上に同一のタイルを重複して保持しておく必要がなくなり、さらに２つの画像の隣接タイルのみを結合すればよいので画像結合処理の高速化を図ることができる。このとき、パケットテーブルでは、リピートフラグを用いることにより、タブインデックス画像のためのメモリ量を削減することもできる。
【０１２４】
また、印刷ジョブ、複写ジョブ実行時、タブ印刷モードに設定されているときに、所定の画像処理終了後のメモリに格納された画像データから、タブシート画像形成用の画像を生成するようにした。これにより、従来のように、原稿読み込み時から印刷出力まで、装置を操作、監視しておく必要がなくなると共に、ページ単位でモード設定及び切替可能とすれば、同一のメモリ上の画像に関して、タブ印刷と通常印刷の両方を連続的に行うことも可能となる。
【０１２５】
（他の実施形態）
上記実施形態においては、本発明をデジタル複合機において適用した例で説明したが、これに限るものではなく、本発明は、例えば、ファクシミリ装置、プリンタ等他の画像形成装置における印刷においても適用可能であることは言うまでも無い。さらに画像形成装置に限らず、例えば、パーソナルコンピュータ上のプリンタドライバや、画像処理ソフトウェアにおいて、本発明を適用してもよい。
【０１２６】
また、本発明は、タブシート印刷に限らず、複数の画像の結合処理を伴う処理であれば、他の処理においても適用可能である。また、画像の結合単位やテーブルによる管理の単位は、タイル単位に限るものではなく、ライン単位、画素単位で行うようにしてもよい。
【０１２７】
また、本発明は、前述した実施の形態の機能を実現するソフトウェアのプログラムコードを記憶した記憶媒体をシステムあるいは装置に供給し、そのシステムあるいは装置のコンピュータ（またはＣＰＵやＭＰＵ）が記憶媒体（例えば上述した本実施の形態におけるＲＡＭ３１）に格納されたプログラムコードを読み出し実行することによっても、完成されることは言うまでもない。
【０１２８】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（Ｒ）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部または全部を行い、その処理によって前述した実施形態の機能が実現される場合も含まれることは言うまでもない。
【０１２９】
さらに、記憶媒体から読み出されたプログラムコードが、コンピュータに挿入された機能拡張ボードやコンピュータに接続された機能拡張ユニットに備わるメモリに書きもまれた後、次のプログラムコードの指示に基づき、その拡張機能を拡張ボードや拡張ユニットに備わるＣＰＵなどが処理を行って実際の処理の一部または全部を行い、その処理によって前述した実施形態の機能が実現される場合も含まれることは言うまでもない。
【０１３０】
また、このような記憶媒体を含む装置をネットワーク上に配置させておき、記憶媒体に記憶されたプログラムをネットワークを介して所定の装置へダウンロードし、ダウンロードしたプログラムを実行することによっても、本発明の上記実施形態の機能が実現されることは言うまでもない。
【０１３１】
【発明の効果】
以上説明してきたように、本発明によれば、所定のテーブルに基づき入力画像を記憶手段に記憶しておき、入力画像と所定の画像とを所定のテーブル上で結合させることで、タブシートに印刷すべき出力画像を記憶手段上に生成することこより、ずらし印刷の必要がなくなり、タブシート全面への印刷を行わせることが可能となるという効果がある。
【０１３２】
また、タイル画像の記憶手段上での実データのアドレス情報を所定のテーブルにより管理しておき、複数のタイル画像から構成される第１の画像と第２の画像とを結合させる場合は、第１の画像と前記第２の画像の接する部分の各タイルを、テーブル上で結合させることにより、記憶手段上に同一のタイル画像を重複して保持しておく必要がなくなり、さらに画像結合処理の高速化を図ることができるという効果がある。
【図面の簡単な説明】
【図１】本実施形態に係る画像入出力システムの全体構成を説明するための図である。
【図２】リーダー部２００及びプリンタ部３００の概観図である。
【図３】リーダー画像処理部２２２の詳細な構成を示すブロック図である。
【図４】制御装置１１０の機能を、図４に示すブロック図をもとに説明する。
【図５】スキャナＩ／Ｆ１４０の画像処理を担う部分の詳細な構成を示すブロック図である。
【図６】ＡＣＳ（オートカラーセレクト）カウント部を説明する図である。
【図７】プリンタＩ／Ｆ１４５の画像処理を担う部分の詳細な構成を示すブロック図である。
【図８】Ｇｒａｐｈｉｃ  Ｐｒｏｃｅｓｓｏｒ１３５の詳細な構成を示すブロック図である。
【図９】タイル画像のアドレスを説明するための図である。
【図１０】回転処理を説明するための図である。
【図１１】本実施形態におけるＰＤＬ画像出力の手順を示すフローチャートである。
【図１２】本実施形態におけるコピー画像出力の手順を示すフローチャートである。
【図１３】本実施形態のパケット構造を示す図である。
【図１４】１ページの画像データを３２画素×３２画素からなるタイルに分割した様子を示す図である。
【図１５】本実施形態におけるパケットデータ生成に係る構成を説明するブロック図である。
【図１６】パケット生成回路２８の概略構成を示すブロック図である。
【図１７】パケットデータとパケットテーブルの関係を示す図である。
【図１８】タブシートイメージをメモリ上で形成する構成を説明するためのイメージ図である。
【符号の説明】
１１０  コントローラ
１１２  ＣＰＵ
１１６  ＤＲＡＭ
１３５  Ｇｒａｐｈｉｃ  Ｐｒｏｃｅｓｓｏｒ
２００  リーダー装置
３００  プリンタ装置
【図１】
2004151854.tif 000004
【図２】
2004151854.tif 000005
【図３】
2004151854.tif 000006
【図４】
2004151854.tif 000007
【図５】
2004151854.tif 000008
【図６】
2004151854.tif 000009
【図７】
2004151854.tif 000010
【図８】
2004151854.tif 000011
【図９】
2004151854.tif 000012
【図１０】
2004151854.tif 000013
【図１１】
2004151854.tif 000014
【図１２】
2004151854.tif 000015
【図１３】
2004151854.tif 000016
【図１４】
2004151854.tif 000017
【図１５】
2004151854.tif 000018
【図１６】
2004151854.tif 000019
【図１７】
2004151854.tif 000020
【図１８】
2004151854.tif 000021